(57)【特許請求の範囲】
【請求項１】
水平な上面を有する可動プレートと、該可動プレートの上面に接触するプローブと、該プローブに下端が固定され上方に延びた弾性部材と、該弾性部材の上端を挟持しこれを下向きに一定の垂直力で常に押し付けるプローブ押付装置と、可動プレートとプローブ押付装置とを相対的に水平移動させる水平移動装置と、該水平移動によりプローブに作用する力を測定する測定装置と、を備え、
前記プローブは、プローブ移動方向に直交する水平軸Ｚを中心とする円弧面に下面が形成された接触子と、該接触子を前記水平軸Ｚを中心に転動可能に支持する保持具とからなり、
前記弾性部材は、プローブ移動方向に両面を有する弾性平板であり、摺動抵抗により弾性部材が弾性変形してプローブが傾くほどに弾性部材の剛性が低く、
前記接触子は、水平軸Ｚを中心とする円筒形であり、
前記保持具は、前記弾性部材の下端を上方から挿入するスリットを有し、該スリットの間に弾性部材の下端を強固に挟持するようになっており、
これにより、プローブと可動プレートの間に液体供試体を挟んで測定された転動力の変化から液体の特性を評価する、ことを特徴とする液体のべたつき評価装置。
【請求項２】
前記測定装置は、前記弾性平板の両面に貼付けられた歪ゲージと、該歪ゲージの出力からプローブに作用する転動力を演算する演算装置と、を有する、ことを特徴とする請求項１に記載のべたつき評価装置。
【請求項３】
前記プローブ押付装置は、弾性部材の上端を挟持する挟持金具と、該挟持金具に下端が固定され上方に延びた案内軸と、該案内軸を上下動可能に案内する軸受部と、案内軸を上方に付勢する付勢手段と、案内軸に同心に載せられこれを下方に押し付けるウエイトと、からなる、ことを特徴とする請求項１に記載のべたつき評価装置。
【請求項４】
（ａ）移動方向に直交する水平軸Ｚを中心とする円弧面を下面に有する接触子と、該接触子を前記水平軸Ｚを中心に転動可能に支持する保持具とからなるプローブと、移動方向に両面を有しプローブに下端が固定され上方に延びたプローブ移動方向に両面を有する弾性平板とを準備し、（ｂ）水平移動する可動プレートの水平な上面に、液体供試体を挟んでプローブを弾性平板を介して下向きに一定の垂直力で常に押付け、（ｃ）プローブを可動プレート上で水平移動させて、転動抵抗により弾性部材が弾性変形してプローブが傾いても、プローブの円弧面と可動プレートとの接触部の形状変化がなく、その間に作用する垂直力も一定に保持され、かつプローブが傾いても、測定精度に影響せずに、プローブの上下動抵抗を小さく維持して、プローブに作用する転動力を高い測定精度で測定し、（ｄ）その転動力の変化から液体の特性を評価する、ことを特徴とする液体のべたつき評価方法。
【発明の詳細な説明】
【０００１】
【発明の属する技術分野】
本発明は、人間の感性に頼る官能試験に代えて、液体のべたつきを客観的に評価するための特性評価装置及び方法に関する。
【０００２】
【従来の技術】
油と水のように互いに相混ざらない液体の共存状態であるエマルジョンは、牛乳、マヨネーズ、クリーム等の食品、化粧用クリームといった身近なものから塗料、接着剤、医療品、農薬、アスファルト（土木材料）といった工業製品に至るまで広範囲で利用されている。
【０００３】
エマルジョンは一般に放置しておくと分散粒子が互いにクリーミング、凝集、合一といった不安定過程を経由して分離し、元通りの２つの液体に分かれてしまう。従って、エマルジョンを産業に利用しようとした場合、化学的に安定であることは勿論であるが硬さ、流動性、変形など力学的特性の観点からの評価が重要となる。
【０００４】
かかるエマルジョンの特性を客観的に評価するために、本願発明の発明者等は、先に、エマルジョンの転相を評価する手段を創案し出願した（特開平３−２６２９４１号、特開平４−４３９４１号、特開平４−６０４３８号、特開５−６０６７７号）。
図６は、かかる先願にかかる装置の模式図であり、（Ａ）（Ｂ）（Ｃ）及び（Ｄ）は、それぞれ特開平３−２６２９４１号、特開平４−４３９４１号、特開平４−６０４３８号、特開５−６０６７７号に対応する。なお、各図において、ほぼ同等の機能を有する部品に同一の符号を付している。
【０００５】
例えば、特開平４−４３９４１号の手段は、図６（Ｂ）に示すように、可動プレート１、固定プレート２、センサ手段３、ファン手段４を備え、エマルジョン供試体を挟んで可動プレート１と固定プレート２を相対的に摺動させ、固定プレート２に加わる摺動方向の力と可動プレートの速度との比からエマルジョンの転相を評価するものである。なお、この図で５はバネ機構、６は昇降機構、７は軸受部である。この手段により、従来の粘度計では定量的に測定できなかったエマルジョンの転相過程を客観的に評価することができるようになった。
【０００６】
【発明が解決しようとする課題】
化粧品の乳液のような液体では、塗布後、肌になじんでいくまでの間のべたつき感が使用上問題となる。従来、かかる化粧品の品質評価は、定量的な計測が不可能であり、その使用状態の善し悪しを熟練したパネラーの感覚に基づく官能試験に頼っていた。しかし、人間の感覚器官は感度は良いが、かかる官能試験に大勢の熟練したパネラーを必要とし、かつその健康状態、個人差、環境等に大きく左右され、データのばらつきが大きく信慂性に欠けるという欠点があった。
【０００７】
一方、上述した従来の手段では、化粧品の種類（例えば、クリーム）によっては、その特性を客観的に評価できるが、べたつき感が重要になる化粧品（例えば乳液）では、そのべたつき感を再現し、定量的に計測することはできなかった。ここで、「べたつき感」とは、乳液が乾く直前に使用者の指にべたつく感覚であり、粘着テープの「粘着力」に近たもの、或いは「曳糸性」と呼べるものである。
【０００８】
すなわち上述した従来の手段は、固定プレート２（プローブ）に作用する摺動抵抗を基に、液体の特性を評価するため、この「べたつき感」、「粘着力」、又は「曳糸性」とは、全く特性が異なり、従って、べたつき感を再現し、定量的に計測することはできなかった。また、構造上、プローブの変形を防ぐために軸が太くなり、測定精度が低く、微弱な特性変化を検出できない問題点があった。
【０００９】
更に、本願発明の発明者等は、化粧品のべたつき感を再現し定量的に計測するために、レオメータを用いてその粘着力を計測したが、後述するように、計測された粘着力はデータのバラツキが大きくて再現性が低く、かつ官能試験による人間の感覚との相関性がほとんどなかった。
従って、従来の手段では、化粧品のべたつき感を客観的に評価するには、測定精度が低く、データのバラツキが大きくて再現性が低く、かつ官能試験による人間の感覚との相関性が低い問題点があった。
【００１０】
本発明は、上述した問題点を解決するために創案されたものである。すなわち、本発明の目的は、人間の感性と相関性がある液体の物性を高精度かつ再現性よく測定することができ、これにより化粧品のべたつき感のように人間の感性に頼る官能試験に代えて、その特性を客観的に評価できる液体のべたつき評価装置及び方法を提供することにある。
【００１１】
【課題を解決するための手段】
本発明によれば、水平な上面を有する可動プレートと、該可動プレートの上面に接触するプローブと、該プローブに下端が固定され上方に延びた弾性部材と、該弾性部材の上端を挟持しこれを下向きに一定の垂直力で常に押し付けるプローブ押付装置と、可動プレートとプローブ押付装置とを相対的に水平移動させる水平移動装置と、該水平移動によりプローブに作用する力を測定する測定装置と、を備え、
前記プローブは、プローブ移動方向に直交する水平軸Ｚを中心とする円弧面に下面が形成された接触子と、該接触子を前記水平軸Ｚを中心に転動可能に支持する保持具とからなり、
前記弾性部材は、プローブ移動方向に両面を有する弾性平板であり、摺動抵抗により弾性部材が弾性変形してプローブが傾くほどに弾性部材の剛性が低く、
前記接触子は、水平軸Ｚを中心とする円筒形であり、
前記保持具は、前記弾性部材の下端を上方から挿入するスリットを有し、該スリットの間に弾性部材の下端を強固に挟持するようになっており、
これにより、プローブと可動プレートの間に液体供試体を挟んで測定された転動力の変化から液体の特性を評価する、ことを特徴とする液体のべたつき評価装置が提供される。
【００１２】
上記本発明の構成によれば、プローブが接触子と保持具で構成され、接触子の下面が、プローブ移動方向に直交する水平軸Ｚを中心とする円弧面に形成され、かつこの接触子は保持具により水平軸Ｚを中心に転動可能に支持されている。
従って、可動プレートとの間に液体供試体を挟んで下向きに押付け、プローブを可動プレート上で水平移動させることにより、接触子が可動プレート上で滑ることなく転動し、この転動の際に接触子の後側で液体によるべたつき力（又は、粘着力，曳糸力）が転動の抵抗力として作用し、これを測定装置により転動力として測定することができる。更に、この転動力の変化は、官能試験による人間の感覚との相関性が高いことが後述する試験結果から確認された。
【００１３】
従って、本発明の構成により、化粧品のべたつきを経時的変化に捉えることが可能であり、化粧品の使用上問題となるべたつき感（乾く直前のべたつき等）を客観的，定量的に捉えることができる。
更に、本発明によれば、上下方向に延びた弾性部材の下端にプローブが固定され、その弾性部材を介してプローブが下向きに押付けられるので、転動抵抗により弾性部材が弾性変形してプローブが傾いても、プローブの円弧面と可動プレートとの接触部の形状変化がなく、その間に作用する垂直力も一定に保持される。従って、測定精度を高めるため弾性部材の剛性を下げる（例えば弾性平板にする）ことにより、精度を大幅に向上させることができる。更に、プローブが傾いても、測定精度に影響しないことから、プローブの上下動抵抗を小さくして追従性を高めることができ、かつプローブの引っ掛かりが生じないことから、データの再現性が大幅に向上する。従って、指で直接肌に塗る化粧品（例えば乳液）のようなデリケートな液体の場合でも、これとの相関性が高い転動抵抗の変化から、人間の感性に頼る官能試験に代えて、その特性を客観的に評価することができる。
【００１４】
また、前記接触子は、水平軸Ｚを中心とする円筒形であるので、可動プレートを往復動させる場合ばかりでなく、一方向に連続的に移動させる場合にも適用することができる。
また、前記弾性部材は、プローブ移動方向に両面を有する弾性平板であり、摺動抵抗により弾性部材が弾性変形してプローブが傾くほどに弾性部材の剛性が低いので、弾性部材の転動抵抗による弾性変形を大きくし、精度を大幅に向上させることができる。
【００１５】
本発明の好ましい実施形態によれば、前記測定装置は、前記弾性平板の両面に貼付けられた歪ゲージと、該歪ゲージの出力からプローブに作用する転動力を演算する演算装置とを有する。この構成により、弾性平板に生じる歪からデリケートで微弱な液体の転動抵抗を正確に演算することができる。更に、前記プローブ押付装置は、弾性部材の上端を挟持する挟持金具と、該挟持金具に下端が固定され上方に延びた案内軸と、該案内軸を上下動可能に案内する軸受部と、案内軸を上方に付勢する付勢手段と、案内軸に同心に載せられこれを下方に押し付けるウエイトと、からなる。この構成により、プローブが傾いても、付勢手段（例えばバネ）とウエイトとにより、正確な垂直力をプローブに常に作用させることができる。
【００１６】
また、本発明によれば、（ａ）移動方向に直交する水平軸Ｚを中心とする円弧面を下面に有する接触子と、該接触子を前記水平軸Ｚを中心に転動可能に支持する保持具とからなるプローブと、移動方向に両面を有しプローブに下端が固定され上方に延びたプローブ移動方向に両面を有する弾性平板とを準備し、（ｂ）水平移動する可動プレートの水平な上面に、液体供試体を挟んでプローブを弾性平板を介して下向きに一定の垂直力で常に押付け、（ｃ）プローブを可動プレート上で水平移動させて、転動抵抗により弾性部材が弾性変形してプローブが傾いても、プローブの円弧面と可動プレートとの接触部の形状変化がなく、その間に作用する垂直力も一定に保持され、かつプローブが傾いても、測定精度に影響せずに、プローブの上下動抵抗を小さく維持して、プローブに作用する転動力を高い測定精度で測定し、（ｄ）その転動力の変化から液体の特性を評価する、ことを特徴とする液体のべたつき評価方法が提供される。
【００１７】
上記本発明の方法によれば、プローブが接触子と保持具で構成され、接触子の下面が、プローブ移動方向に直交する水平軸Ｚを中心とする円弧面に形成され、かつこの接触子は保持具により水平軸Ｚを中心に転動可能に支持されている。
従って、可動プレートとの間に液体供試体を挟んで下向きに押付け、プローブを可動プレート上で水平移動させることにより、接触子が可動プレート上で滑ることなく転動し、この転動の際に接触子の後側で液体によるべたつき力（又は、粘着力，曳糸力）が転動の抵抗力として作用し、これを測定装置により転動力として測定することができる。更に、この転動力の変化は、官能試験による人間の感覚との相関性が高いことが後述する試験結果から確認された。
【００１８】
従って、本発明の方法により、化粧品のべたつきを経時的変化に捉えることが可能であり、化粧品の使用上問題となるべたつき感（乾く直前のべたつき等）を客観的，定量的に捉えることができる。
【００２０】
この方法によれば、上下方向に延びた弾性部材の下端にプローブが固定され、その弾性部材を介してプローブが下向きに押付けられるので、転動抵抗により弾性部材が弾性変形してプローブが傾いても、プローブの円弧面と可動プレートとの接触部の形状変化がなく、その間に作用する垂直力も一定に保持される。従って、測定精度を高めるため弾性部材の剛性を下げる（例えば弾性平板にする）ことにより、精度を大幅に向上させることができる。更に、プローブが傾いても、測定精度に影響しないことから、プローブの上下動抵抗を小さくして追従性を高めることができ、かつプローブの引っ掛かりが生じないことから、データの再現性が大幅に向上する。従って、指で直接肌に塗る化粧品（例えば乳液）のようなデリケートな液体の場合でも、これとの相関性が高い転動抵抗の変化から、人間の感性に頼る官能試験に代えて、その特性を客観的に評価することができる。
【００２１】
【発明の実施の形態】
以下、本発明の好ましい実施形態を図面を参照して説明する。なお、各図において共通する部分には同一の符号を付し、重複した説明を省略する。
図１は、本発明の液体の特性評価装置の全体構成図である。この図に示すように、本発明の液体特性評価装置１０は、可動プレート１２、プローブ１４、弾性部材１６、プローブ押付装置１８、往復動装置２０、及び、測定装置２２を備えている。
【００２２】
可動プレート１２は、往復台２１の上面に固定され、この往復台２１は、往復動装置２０により、水平方向（この図で左右）に往復動するようになっている。この往復動装置２０は、この例では、サーボモータ２０ａ、ボールネジ２０ｂ、ボールナット２０ｃ等で構成され、サーボモータ２０ａによりボールネジ２０ｂを回転駆動し、ボールナット２０ｃを取り付けた往復台２１を往復動させて、可動プレート１２とプローブ押付装置１８とを相対的に水平に往復動させるようになっている。更に、この装置では、図に示すように、可動プレート１２と往復台２１との間に温度制御器１３を挟持し、可動プレート１２の温度を制御するようになっている。
【００２３】
なお、本発明はこの構成に限定されず、反対に可動プレート１２を固定し、プローブ押付装置１８を往復動させるように構成してもよい。また、可動プレート１２を円盤状に構成し、図６（Ｃ）のように、可動プレートを同一方向に連続的に移動させてもよい。
【００２４】
プローブ押付装置１８は、弾性部材１６の上端を挟持する挟持金具１８ａと、挟持金具１８ａに下端が固定され上方に延びた案内軸１８ｂと、案内軸１８ｂを上下動可能に案内する軸受部１８ｃと、案内軸１８ｂを上方に付勢する付勢手段１８ｄと、案内軸１８ｂに同心に載せられこれを下方に押し付けるウエイト１９と、からなり、弾性部材１６の上端を挟持しこれを下向きに押し付けるようになっている。
【００２５】
挟持金具１８ａは、弾性部材１６の上端を下方から挿入するスリットと、このスリットの間隔を調整するネジ部材（例えばボルト、図示せず）を有し、スリットの間で弾性部材１６の上端を強固に挟持する。軸受部１８ｃは、固定部分１７ａ（例えば装置本体）に取り付けられ、その内部に図示しない軸受を有し、非常に小さい抵抗で案内軸１８ｂが上下動するように案内する。また、案内軸１８ｂは、軸受部１８ｃの上部に鍔部を有し、この鍔部に切欠きを有するウエイト１９を同心に載せるようになっている。更に、付勢手段１８ｄ（例えば、引張バネ）が、固定部分１７ｂと案内軸１８ｂとの間に引張状態で取り付けられ、案内軸１８ｂを上方に付勢している。
【００２６】
この構成により、付勢手段１８ｄとウエイト１９とにより、正確な下向き垂直力を挟持金具１８ａに作用させ、弾性部材１６が変形してプローブが傾いても、プローブに常に正確な下向き垂直力Ｆを作用させることができる。
【００２７】
図２（Ａ）は、図１のＡ部拡大図であり、（Ｂ）はその側面図である。図１及び図２に示すように、可動プレート１２は水平な上面１２ａを有し、この上面にプローブ１４が接触する。弾性部材１６は、この例では、プローブ移動方向（図１の左右方向）に両面を有する弾性平板（例えばバネ板）であり、その下端がプローブ１４に固定され、上方に延び、その上端が挟持金具１８ａに固定されている。
【００２８】
更に、図２に示すように、プローブ１４は、プローブ移動方向に直交する水平軸Ｚを中心とする円弧面に下面が形成された接触子１４ａと、接触子１４ａを水平軸Ｚを中心に転動可能に支持する保持具１４ｂとからなる。この例において、接触子１４ａは、水平軸Ｚを中心とする円筒形である。この構成により、可動プレート１２を往復動させる場合ばかりでなく、一方向に連続的に移動させる場合にも適用することができる。
【００２９】
図３は、プローブ１４の別の実施形態を示す図である。この図において、プローブ１４の接触子１４ａは、プローブ移動方向に直交する水平軸Ｚを中心とする円弧面に下面が形成されているが、円筒形ではなく、円筒形の一部、すなわち扇状に形成されている。その他の構成は、図２と同様である。この構成により、可動プレート１２を往復動させる場合には、円弧面の半径を大きく設定し、微弱な転動力を精密に計測することができる。
【００３０】
なお、この図において、１４ｃは、接触子１４ａと同形のバランスウエイトであり、接触子１４ａと同軸に保持具１４ｂ等と干渉しない位置に設けられている。このバランスウエイトは、接触子１４ａと同形でなく、単なるウエイトであってもよい。かかるバランスウエイトを取り付けることにより、接触子の水平軸Ｚを中心とするバランスを良くし円滑に動かすことができる。
【００３１】
図２及び図３において、保持具１４ｂは、水平軸Ｚと同心の軸１５ａを有し、この軸１５ａと接触子１４ａとの間には軸受１５ｂが設けられ、接触子１４ａの転動抵抗を低減するようになっている。この軸受１５ｂには、例えば、ボールベアリング、ローラベアリング、ジャーナルベアリング等を用いることができる。更に、保持具１４ｂは、弾性部材１６の下端を上方から挿入するスリットと、このスリットの間隔を調整するネジ部材（例えばボルト、図示せず）を有し、スリットの間に弾性部材１６の下端を強固に挟持するようになっている。
【００３２】
図１において、測定装置２２は、弾性平板１６の両面に貼付けられた歪ゲージ２２ａと、歪ゲージ２２ａの出力からプローブに作用する転動力を演算する演算装置２２ｂと、を有し、往復動によりプローブに作用する転動力を測定するようになっている。この構成により、弾性平板に生じる歪からデリケートで微弱な液体（例えばエマルジョン）の転動抵抗を正確に演算することができる。
【００３３】
なお、上述した液体特性評価装置１０において、可動プレート１２とプローブ１４には、化学的安定性、耐衝撃性（熱的、機械的）、耐摩耗性を有し、かつ液体供試体及び評価目的に合った材質及び表面形態を有することが望ましく、具体的には、金属、セラミック、高分子材料を単独又は組み合わせて用いるのがよい。
【００３４】
また、特に、相互に転動する面には、一方又は両方に、液体供試体及び評価目的に特に適したフィルムを張り付けるのがよい。このフィルムには、例えば先行技術で開示した、テトラフルオロエチレンフィルム（ＰＴＦＥ）を、用いることができる。
【００３５】
上述した構成の液体特性評価装置を用いて、本発明の方法によれば、以下の手順で液体の特性を評価する。
まず、（ａ）上述した接触子１４ａと保持具１４ｂとからなるプローブ１４と、弾性平板１６を準備し、図１に示した装置１０にセットする。次に、（ｂ）水平に往復動する可動プレート１２の水平な上面１２ａに、液体供試体を挟んでプローブ１４を弾性平板１６を介して下向きに押付ける。次いで、装置１０を作動させて、（ｃ）プローブ１４を可動プレート１２上で水平移動（この場合、往復動）させ、同時にプローブ１４に作用する転動力を測定装置２２により測定し記録する。最後に（ｄ）その転動力の変化を予め準備したパネラー等による官能試験結果、或いは同様にして得られた他の液体の測定結果と比較してその液体の特性を評価する。
【００３６】
上述した本発明の装置及び方法によれば、プローブ１４が、接触子１４ａと保持具１４ｂで構成され、接触子１４ａの下面が、プローブ移動方向に直交する水平軸Ｚを中心とする円弧面に形成され、かつこの接触子１４ａは保持具１４ｂにより水平軸Ｚを中心に転動可能に支持されている。
従って、可動プレート１２との間に液体供試体を挟んで下向きに押付け、プローブ１４を可動プレート上で水平移動させることにより、接触子１４ａが可動プレート１２上で滑ることなく転動し、この転動の際に接触子１４ａの後側で液体によるべたつき力（又は、粘着力，曳糸力）が転動の抵抗力として作用し、これを測定装置により転動力として測定することができる。
【００３７】
更に、本発明によれば、上下方向に延びた弾性部材１６の下端にプローブ１４が固定され、その弾性部材１６を介してプローブが下向きに押付けられるので、転動抵抗Ｒにより弾性部材１６が弾性変形してプローブ１４が傾いても、プローブの円弧面と可動プレート１２との接触部の形状変化がなく、その間に作用する垂直力も一定に保持される。従って、測定精度を高めるため弾性部材の剛性を下げる（例えば弾性平板にする）ことにより、精度を大幅に向上させることができる。更に、プローブ１４が傾いても、測定精度に影響しないことから、プローブの上下動抵抗を小さくして追従性を高めることができ、かつプローブの引っ掛かりが生じないことから、データの再現性が大幅に向上する。従って、指で直接肌に塗る化粧品（例えば乳液）のようなデリケートな液体の場合でも、これとの相関性が高い転動抵抗の変化から、人間の感性に頼る官能試験に代えて、その特性を客観的に評価することができる。
【００３８】
【実施例】
以下、本発明の液体特性評価装置を用いた実施例を説明する。表１は、液体供試体すなわち測定サンプルの官能評価比較である。この測定サンプルとしては、２種の乳液を使用した。
【００３９】
【表１】
0003945729.tif 000002
【００４０】
（比較例１）
まず、市販のレオメータを用いて乳液Ａの粘着力を測定した。すなわち、サンプル２０μＬをステージ中心に滴下し、円盤状プローブ（１５ｍｍφ）を下降させて、２００ｇの荷重がかかるようにステージに接触させた。その後、プローブを２ｃｍ／ｍｉｎの速度で上昇させ、ステージからプローブが離れる際の抵抗力（粘着力）を測定した。これを２分毎に繰り返して、経時的に粘着力を測定した。
【００４１】
図４は、レオメータによる粘着力の測定結果である。この図において、横軸は接触回数、縦軸は粘着力の相対値を示し、図中の白丸と黒丸は２回の測定結果を示している。この図から、レオメータによる測定では、計測された粘着力はデータのバラツキが大きくて再現性が低く、かつ表１に示した官能試験による人間の感覚との相関性がほとんどないことがわかる。
【００４２】
（実施例１）
次に、本発明の装置（図１及び図２に示した装置）を用い、乳液Ａ，Ｂのべたつき力（粘着力）を測定した。使用した接触子１４ａは、ポリプロピレン製であり、その寸法は、直径１０ｍｍ、接触幅１５ｍｍである。また、摺動速度１．２ｃｍ／ｓ、摺動ストローク２０ｍｍ、サンプル量２０μＬ、ステージ温度３２℃、室温２５℃、相対湿度５０％であり、ファン及びフィルムは使用せずに実施した。
【００４３】
図５は、得られた転動抵抗の測定データ例である。この図において、横軸は往復回数、縦軸は応力の相対値であり、図中の黒丸と白丸はそれぞれ乳液Ａ，Ｂを示している。なお、この図では縦軸を応力の相対値としているが、転動抵抗の相対値であっても同様の図となる。
この図から、図５のＡのデータは、「はじめはさっぱりしているが乾燥する際に少しべたつく」、測定サンプルＡの官能評価をよく再現しており、同様にＢのデータは、「さっぱりしていてべたつかない」、サンプルＢの官能評価をよく再現していることがわかる。
【００４４】
なお、本発明は上述した実施形態及び実施例に限定されるものではなく、本発明の要旨を逸脱しない範囲で種々変更できることは勿論である。
【００４５】
【発明の効果】
上述したように、本発明の液体のべたつき評価装置及び方法は、人間の感性と相関性がある液体の物性を高精度かつ再現性よく測定することができ、これにより化粧品のべたつき感のように人間の感性に頼る官能試験に代えて、その特性を客観的に評価できる、等の優れた効果を有する。
【図面の簡単な説明】
【図１】本発明の液体の特性評価装置の全体構成図である。
【図２】図１のＡ部の拡大図である。
【図３】別の実施形態を模式的に示す図である。
【図４】レオメータによる粘着力の測定結果である。
【図５】本発明の装置を用いて得られた転動抵抗の変化例である。
【図６】本発明の発明者等による先行出願の構成図である。
【符号の説明】
１  可動プレート
２  固定プレート（プローブ）
２ａ，２ｂ  軸
３  センサ手段
４  ファン手段
５  バネ機構
６  昇降機構
７  軸受部
１０  液体特性評価装置
１２  可動プレート
１２ａ  上面
１４  プローブ
１４ａ  接触子
１４ｂ  保持具
１５ａ  軸
１５ｂ  軸受
１６  弾性部材
１８  プローブ押付装置
１８ａ  挟持金具
１８ｂ  案内軸
１８ｃ  軸受部
１８ｄ  付勢手段
１９  ウエイト
２０  往復動装置
２１  往復台
２２  測定装置
２２ａ  歪ゲージ
２２ｂ  演算装置
【図１】
0003945729.tif 000003
【図２】
0003945729.tif 000004
【図３】
0003945729.tif 000005
【図４】
0003945729.tif 000006
【図５】
0003945729.tif 000007
【図６】
0003945729.tif 000008